(57)【要約】      （修正有）【課題】シャッター装置の施錠装置に使用されているシャッター錠の交換に当たり、一種類のもので対応可能なシャッター錠を提供する。【解決手段】板キーが挿入可能な錠穴を有するシリンダが装着され、左右両端側にシャッターカーテンへの取付穴が設けられた板状のカバーと、カバーの背面側に取り付くボックス状のケースと、シャッターカーテンの幅方向外側に向かって進退可能にカバーとケースとの間に装着され、夫々の先端側に、ガイドレール側に設けた被係止部材に係脱する係止穴が設けられた左右一対のアーム部材と、シリンダ内に組み込まれ、アーム部材に設けたラック歯に噛合するギヤとを備え、錠穴に挿入した板キーの回転操作で、アーム部材がシャッターカーテンの幅方向外側に向かって進退するシャッター錠に於て、取付穴を、カバーの左右の両端側に夫々複数設けると共に、係止穴を両アーム部材の長手方向に複数設けた。【選択図】図１
0003128567.tif 000002
【実用新案登録請求の範囲】
【請求項１】
板キーが挿入可能な錠穴を有するシリンダが装着され、左右の両端側にシャッターカーテンのスラットへの取付穴が設けられた板状のカバーと、
前記シリンダを被覆してカバーの背面側に取り付くボックス状のケースと、
シャッターカーテンの幅方向外側に向かって進退可能にカバーとケースとの間に装着され、夫々の先端側に、ガイドレール側に設けた被係止部材に係脱する係止部材を連結する係止穴が設けられた左右一対のアーム部材と、
前記シリンダ内に組み込まれ、アーム部材に設けたラック歯に噛合するギヤとを備え、
前記錠穴に挿入した板キーの回転操作で、アーム部材がシャッターカーテンの幅方向外側に向かって進退するシャッター装置のシャッター錠に於て、
前記取付穴を、カバーの左右の両端側に夫々複数設けると共に、前記係止穴を、両アーム部材の長手方向に複数設けたことを特徴とする。
【請求項２】
前記アーム部材は、夫々、前記ラック歯が形成されたスライド板と、前記係止穴が長手方向に複数形成されたコネクター板とで構成され、スライド板とコネクター板は、連結ばねを介して弾性的に連結されていることを特徴とする請求項１に記載のシャッター装置のシャッター錠。
【請求項３】
前記係止穴は、アーム部材の進退方向と直交する方向に形成されたスリットと、前記スリットの中央に設けられた平面視円形状のネジ穴とで形成されていることを特徴とする請求項１または請求項２に記載のシャッター装置のシャッター錠。
【考案の詳細な説明】
【技術分野】
【０００１】
本考案は、シャッター装置のシャッターカーテンを施錠するシャッター錠に関する。
【背景技術】
【０００２】
従来、建造物の出入口や開口部を開閉するシャッター装置には、防犯上の理由から全閉したシャッターカーテンを施錠する施錠装置が装着されており、シャッターカーテンを全閉した状態で施錠装置を施錠することで、シャッターカーテンが施錠されて出入口や開口部を開放することができないようになっている。
そして、特許文献１に開示されるように、従来、この種の施錠装置の一例として、「内外錠」と称されるシャッター錠を用いた施錠装置が知られている。
【０００３】
図１３は特許文献１に開示された施錠装置付きシャッター装置の正面図を示し、従来周知のように、シャッターカーテン１は多数のスラット３を上下に連設して形成されており、シャッターカーテン１の幅方向の両側には、シャッターカーテン１の幅方向両端部がスライド自在に挿入されたガイドレール５が柱等の建物躯体７に結合されている。
そして、多数のスラット３のうち所定のスラット３ａの中間に、シャッターカーテン１の表側（建物の外側）から板キーで操作可能な施錠装置９のシャッター錠１１が取り付けられており、図１４に示すように施錠装置９は、シャッター錠１１と、これに連結部材１３や延長部材１５等で連結されてシャッターカーテン１に配置される係止部材１７と、ガイドレール５の内部に配置される被係止部材（図示せず）とで構成されている。
【０００４】
図１５に示すようにシャッター錠１１は、シャッターカーテン１の幅方向外側に向かって進退する左右一対のアーム部材（レバー）１９を備え、ケース２１の中央に、板キーが挿入可能な錠穴２３を有するシリンダ２５が装着されている。そして、シリンダ２５には、アーム部材１９に設けたラック歯２７に噛合するギヤ（図示せず）が組み込まれており、板キーの回転操作でこのギヤを一方向へ１８０度回転させると、左右のアーム部材１９は図１６の状態から図１７の如くシャッターカーテン１の幅方向外側へ伸長し、更にローターを他方向へ１８０度回転させると、アーム部材１９は図１７の状態からシャッターカーテン１の幅方向内側へ収縮して図１６の状態に戻るようになっている。
【０００５】
尚、図１４，図１６及び図１７は、シャッターカーテン１の内側から見たシャッター錠１１の背面図、図１５はシャッターカーテン１の外側から見たシャッター錠１１の正面図である。
而して、上述したように板キーは、シャッターカーテン１の表側から操作するものであるが、図１６に示すようにシャッターカーテン１の内側（スラット３ｂの背面側）に向いているシャッター錠１１の背面には、手で回転操作可能なサムターン２９が設けられている。
【０００６】
このサムターン２９は、シャッター錠１１のカバー３１を貫通して前記ギヤと結合されており、サムターン２９を回転操作することによっても、左右一対のアーム部材１９を図４の状態から図５の状態に、また、図５の状態から図４の状態に戻せるようになっている。
このようにシャッター錠１１は、シャッターカーテン１の表面側からも裏面側からも操作できるようになっている。
【０００７】
そして、既述したように一対のアーム部材１９に、連結部材１３や延長部材１５等を介して係止部材１７が連結されており、図１６の如く板キーの回転操作で左右のアーム部材２１が伸長すると、係止部材１７がガイドレール５の内部に配置されている被係止部材に係止して施錠装置９が施錠され、斯かる状態から図１７の如くアーム部材１９が図１６状態に復帰すると、施錠装置９の施錠が解除されるようになっている。
【０００８】
その他、図１６中、３３はアーム部材１９の先端に設けられた係止孔で、この係止孔３３に前記連結部材１３が連結されるが、施錠装置の仕様に応じ、連結部材１３に代えて板状または棒状のステー（係止部材）の一端がアーム部材１９に連結され、アーム部材１９の進退に応じ、ステーの他端側がガイドレール５に設けた係止孔（被係止部材）に係脱して施錠装置が施錠，解除される構造も知られている。
【０００９】
そして、図示しないが前記カバー３１の左右の両端側には、シャッター錠１１をスラット３ａに取り付けるためのシャッター錠取付穴が一つ宛設けられている。
【特許文献１】特開２００５−２９０９１５号公報
【考案の開示】
【考案が解決しようとする課題】
【００１０】
シャッター錠１１を用いた従来の施錠装置９はこのように構成されているが、長期に亘る使用でシャッター錠１１が劣化し、シャッター錠１１を交換する場合がある。
而して、この場合、シャッター錠１１をスラット３ａに固定しているネジを緩めてシャッター錠１１を取り外すこととなるが、従来、この種のシャッター錠は、各メーカ毎に様々な仕様があり、カバー２１の幅寸法（図１５中、寸法Ｌ）が異なってシャッター錠取付穴の位置がずれたり、カバーの幅寸法は同じ乍ら、シャッター錠取付穴の位置が上下左右方向に異なったり、また、アーム部材１９の長さ寸法（図１５中、寸法Ｍ）が異なるために前記係止孔３３の位置が異なっている等、多種多様のシャッター錠が存在しているのが実情である。
【００１１】
このため、シャッター錠１１の交換の際に、多くの場合、同一仕様のシャッター錠と交換しなければならないという制約を受け、錠前交換の依頼を受けた業者が同一仕様のシャッター錠の在庫がないときには取り寄せなければならず、利用者は、その間、シャッター錠１１が劣化した施錠装置９を使用しなければならない不具合があった。
一方、錠前交換の依頼を受ける業者にとっても、多種多様のシャッター錠を揃え、また、多種多様のシャッター錠を持ち歩かなければならない不具合が指摘されていた。
【００１２】
本考案は斯かる実情に鑑み案出されたもので、シャッター装置の施錠装置に使用されている多種多様のシャッター錠の交換に当たり、一種類のもので対応可能なシャッター装置のシャッター錠を提供することを目的とする。
【課題を解決するための手段】
【００１３】
斯かる目的を達成するため、請求項１に係る考案は、板キーが挿入可能な錠穴を有するシリンダが装着され、左右の両端側にシャッターカーテンのスラットへの取付穴が設けられた板状のカバーと、前記シリンダを被覆してカバーの背面側に取り付くボックス状のケースと、シャッターカーテンの幅方向外側に向かって進退可能にカバーとケースとの間に装着され、夫々の先端側に、ガイドレール側に設けた被係止部材に係脱する係止部材を連結する係止穴が設けられた左右一対のアーム部材と、前記シリンダ内に組み込まれ、アーム部材に設けたラック歯に噛合するギヤとを備え、前記錠穴に挿入した板キーの回転操作で、アーム部材がシャッターカーテンの幅方向外側に向かって進退するシャッター装置のシャッター錠に於て、前記取付穴を、カバーの左右の両端側に夫々複数設けると共に、前記係止穴を、両アーム部材の長手方向に複数設けたことを特徴とする。
【００１４】
そして、請求項２に係る考案は、請求項１に記載のシャッター装置のシャッター錠に於て、前記アーム部材は、夫々、前記ラック歯が形成されたスライド板と、前記係止穴が長手方向に複数形成されたコネクター板とで構成され、スライド板とコネクター板は、連結ばねを介して弾性的に連結されていることを特徴とし、請求項３に係る考案は、請求項１または請求項２に記載のシャッター装置のシャッター錠に於て、前記係止穴は、アーム部材の進退方向と直交する方向に形成されたスリットと、前記スリットの中央に設けられた平面視円形状のネジ穴とで形成されていることを特徴としている。
【考案の効果】
【００１５】
請求項１に係る考案によれば、カバーの両端側に、シャッター錠をシャッターカーテンのスラットに固定する取付穴を、従来の多種類のシャッター錠取付穴に対応させて複数設けると共に、アーム部材に係止部材を連結する係止穴を長手方向に複数設けたので、多種多様なシャッター錠を用いていたシャッター装置の錠前交換の際に、何れかの取付穴を用いてシャッター錠をシャッターカーテンのスラットに取り付けることができ、係止部材の寸法に合わせて複数の係止穴の何れかを選択することで、係止部材をアーム部材に連結することができる。
【００１６】
従って、錠前交換の依頼を受ける業者にとって、多種多様のシャッター錠を揃え、また、多種多様のシャッター錠を持ち歩かなくても、本考案のシャッター錠さえあれば、様々なシャッター錠の交換が可能であり、また、錠前交換の依頼をする者にとっても、シャッター錠の取り寄せを待つことなく速やかにシャッター錠を交換してもらえる利点を有する。
【００１７】
また、請求項２に係る考案によれば、連結ばねを介してスライド板とコネクタ板を弾性的に連結してアーム部材を構成したので、連結ばねの弾性力（伸縮）を利用して若干の寸法幅が調整できる利点を有する。
更に、請求項３に係る考案によれば、アーム部材に連結する係止部材の係止部の仕様に応じ、スリットとネジ穴の何れかを選択することで対応できる利点を有する。
【考案を実施するための最良の形態】
【００１８】
以下、本考案の実施形態を図面に基づいて詳細に説明する。
図１は請求項１乃至請求項３の一実施形態に係るシャッター装置のシャッター錠を示し、図中、４１はシャッター錠４３の金属製のカバー、４５はカバー４１の背面側に取り付く金属製のケースで、図１及び図２に示すようにカバー４３は正面視矩形状の板状に形成されている。そして、その中央に、カバー４１の裏面側に取り付くシリンダ４７のシリンダカバー４９が露出する円形状の開口部５１が設けられており、シリンダカバー４９の中央に、錠穴５３が設けられたシリンダシャッタ５５が装着されている。
【００１９】
また、前記開口部５１を挟んでカバー４１の左側上部と右側下部に、ケース４５を固着する一対のケース取付穴５７，５９が設けられており、図３に示すようにケース取付穴５７，５９はカバー４１の裏面側に筒状に突設されている。
そして、図２に示すように本実施形態は、カバー４１の左右両端側に、シャッター錠４３をシャッターカーテンのスラットに固定する４個のシャッター錠取付穴６１ａ，６１ｂ，６１ｃ，６１ｄを、夫々、設けたことを第１の特徴とする。
【００２０】
シャッター錠取付穴６１ａ，６１ｂ，６１ｃ，６１ｄは、今日知られている多種多様のシャッター錠のカバーに設けられたシャッター錠取付穴の位置を考慮して設けたもので、既述したように従来のシャッター錠のシャッター錠取付穴は、カバーの幅寸法が異なってシャッター錠取付穴の位置がずれたり、カバーの幅寸法は同じ乍ら、シャッター錠取付穴の位置が上下左右方向に異なったりしているのが実情である。
【００２１】
そこで、本実施形態は、これらの多種多様なシャッター錠取付穴の位置を検討した結果、図１及び図２に示すように、大小２種類のシャッター錠取付穴６１ａ，６１ｂ，６１ｃ，６１ｄを上下左右方向に若干ずらして配置して、これらを前記開口部５１を中心にカバー４１の左右の両端側に点対称に配置することで、従来の多種類のシャッター錠取付穴に対応させたものである。
【００２２】
そして、従来と同様、前記カバー４１の裏面側中央に、シリンダ４７を被覆してケース４５が取り付けられている。
図４乃至図６に示すようにケース４５は、後述する左右一対のアーム部材６３が挿通する部位を除き、前方へ断面Ｌ字状に折曲するフランジ部６５が周縁部に形成されたボックス形状をなし、ケース４５とカバー４１とで区画された空間内に前記シリンダ４７が配置されている。
【００２３】
また、ケース４５の中央には、シャッター錠４３の背面側にサムターン６７を貫通させて取り付けるサムターン取付穴６９が前記開口部５１と中心を同じくして設けられており、図１６のシャッター錠１１と同様、サムターン６７は後述するギヤ７１に結合されている。
更に、図４に示すようにケース４５には、前記ケース取付穴５７，５９に対応してケース取付穴７３，７５が設けられると共に、前記開口部５１を挟んでカバー４１に設けた左右一対のシリンダ取付穴７７，７９に対応して、左右一対のシリンダ取付穴８１，８３がサムターン取付穴６９を挟んで設けられている。
【００２４】
そして、図１に示すように本実施形態に係るシャッター錠４３も、シャッターカーテンの幅方向外側に向かって進退する左右一対のアーム部材６３を備えている。
アーム部材６３は、図７及び図８に示す板状のスライド板８５と、このスライド板８５の背面側に重合する図９乃至図１２の板状のコネクター板８７とで構成されており、図１に示すようにこれらは、カバー４１とケース４５のフランジ部６５とで形成される左側下部の挿通穴８９と右側上部の挿通穴９１を挿通して、シャッターカーテンの幅方向外側へ進退可能に装着されている。
【００２５】
尚、左右のアーム部材６３は夫々同一形状，同一構造であるため、以下、左側のアーム部材６３について説明する。
図７に示すようにスライド板８５は、平面視矩形状の板材の一端側側縁部に、シリンダ２５に組み込んだギヤ７１に噛合するラック歯９３を刻設した形状をなし、その一端には半円状の凹部９５が設けられている。
【００２６】
また、スライド板８５の反ラック歯９３側端部には、後述する連結ばね９７のかぎ部９９を係止する突片１０１が図８の如く表側に切り起こされると共に、これと隣接して同軸上に細長い平面視矩形状のガイド穴１０３が長手方向に設けられている。
一方、図９に示すようにコネクタ板８７は、大別して３つの幅寸法を以って長手方向へ順次幅広となる平面視形状に形成されており、最も幅狭な帯状に形成された最狭部８７ａと、これより幅広に形成された中間部８７ｂは前記スライド板８５と重合する。
【００２７】
そして、図１に示すように最狭部８７ａは、前記ラック歯９３とギヤ７１との噛合に支障を来さない幅寸法とされ、図１０及び図１２に示すようにその先端には、前記係止穴９５に係止する筒状の突片１０５が表面側に突設されている。
また、図９及び図１１に示すように中間部８７ｂには、前記ガイド穴１０３に対応してガイド穴１０７が長手方向に形成されると共に、このガイド穴１０７の前記突片１０５側端部に、ガイド穴１０３に挿入可能な突片１０９が表面側に突設され、更に、この突片１０９に、連結ばね９７の他方のかぎ部１１１が係止する係止穴１１３が設けられている。
【００２８】
そして、最も幅広に形成されたコネクタ板８７の最広部８７ｃに、左右のガイドレールに設けた係止孔（被係止部材）に係脱する棒状のステー（係止部材）を連結する係止穴１１５が、長手方向に複数（本実施形態では７個）設けられている。
図示するように前記係止穴１１５は、アーム部材６３の進退方向と直交する方向に形成された平面視矩形状のスリット１１５ａと、前記スリット１１５ａの中央に設けられた平面視円形状のネジ穴１１５ｂとで形成されており、連結するステーの係止部の仕様に応じ、スリット１１５ａとネジ穴１１５ｂの何れかを選択することができるようになっている。
【００２９】
スライド板８５とコネクタ板８７はこのように構成されており、コネクタ板８７の最狭部８７ａと中間部８７ｂをスライド板８５の裏面側に重合させて、コネクタ板８７の突片１０５をスライド板８５の凹部９５に係止させると共に、前記突片１０９をガイド穴１０３内に挿入した後、引張りコイルばねからなる連結ばね９７のかぎ部９９，１１１を前記突片１０１，係止穴１１３に係止させることで、スライド板８５とコネクタ板８７が、連結ばね９７を介して弾性的に連結されてアーム部材６３が構成されている。
【００３０】
そして、既述したようにアーム部材６３は挿通穴８９を挿通して、コネクタ板８７に設けたラック歯９３が、シリンダ４７に組み込まれたギヤ７１に噛合しており、従来と同様、錠穴５３に挿入した板キーの回転操作でギヤ７１を一方向へ１８０度回転させると、左右のアーム部材６３がシャッターカーテンの幅方向外側へ伸長し、更に板キーの回転操作でギヤ７１を１８０度回転させると、アーム部材６３はシャッターカーテン１の幅方向内側へ収縮して元の状態に戻るようになっている。
【００３１】
本実施形態に係るシャッター錠４３はこのように構成されており、新規なシャッター装置にこのシャッター錠４３を取り付けることができることは勿論、既述したように本実施形態は、カバー４１の左右の両端側に、シャッター錠４３をシャッターカーテンのスラットに固定する４個のシャッター錠取付穴６１ａ，６１ｂ，６１ｃ，６１ｄを、従来の多種類のシャッター錠取付穴に対応させて設けると共に、アーム部材６３のコネクタ板８７に、ガイドレールに設けた係止孔に係脱するステーを連結する係止穴１１５を、長手方向に複数設けたので、多種多様なシャッター錠を用いていたシャッター装置の錠前交換の際に、シャッター錠取付穴６１ａ，６１ｂ，６１ｃ，６１ｄの何れかを用いてシャッター錠４３をシャッターカーテンのスラットに取り付けることができる。
【００３２】
そして、ステー（係止部材）の寸法に合わせて複数の係止穴１１５の何れかを選択し、且つ連結するステーの係止部の仕様に応じ、スリット１１５ａとネジ穴１１５ｂの何れかを選択することで、ステーをアーム部材６３に連結することができる。
而も、本実施形態は、連結ばね９７を介してスライド板８５とコネクタ板８７を弾性的に連結してアーム部材６３を構成したので、ステーをアーム部材６３に連結するに当たり、連結ばね９７の弾性力（伸縮）を利用して若干の寸法幅が調整できることとなる。
【００３３】
このとき、ガイド穴１０３に突片１０９が係合しているため、コネクタ板８７はガイド穴１０３に沿ってスライドする。
従って、本実施形態によれば、錠前交換の依頼を受ける業者にとって、多種多様のシャッター錠を揃え、また、多種多様のシャッター錠を持ち歩かなくても、本実施形態に係るシャッター錠４３さえあれば、様々なシャッター錠の交換が可能となり、また、錠前交換の依頼をする者にとっても、シャッター錠の取り寄せを待つことなく、速やかにシャッター錠を交換してもらえる利点を有する。
【００３４】
尚、本実施形態では、シャッター錠４３の背面側にサムターン６７を装着したが、両面シリンダタイプとしてもよく、サムターンに限定されるものではない。
また、ステーの係止部材に代え、図１４の如く連結部材１３や延長部材１５等を介して係止部材を連結する構造にも本考案を適用可能である。
【図面の簡単な説明】
【００３５】
【図１】請求項１乃至請求項３の一実施形態に係るシャッター錠の正面図である。
【図２】カバーの正面図である。
【図３】カバーの側面図である。
【図４】ケースの正面図である。
【図５】ケースの平面図である。
【図６】ケースの側面図である。
【図７】スライド板の正面図である。
【図８】スライド板の底面図である。
【図９】コネクタ板の正面図である。
【図１０】コネクタ板の平面図である。
【図１１】コネクタ板の要部拡大断面図である。
【図１２】コネクタ板の要部拡大断面図である。
【図１３】従来のシャッター装置の正面図である。
【図１４】従来の施錠装置の背面図である。
【図１５】従来のシャッター錠の正面図である。
【図１６】従来のシャッター錠の背面図である。
【図１７】従来のシャッター錠の背面図である。
【符号の説明】
【００３６】
４１  カバー
４３  シャッター錠
４５  ケース
４７  シリンダ
４９  シリンダカバー
５１  開口部
５３  錠穴
５５  シリンダシャッタ
６１ａ，６１ｂ，６１ｃ，６１ｄ  シャッター錠取付穴
６３  アーム部材
６７  サムターン
６９  サムターン取付穴
７１  ギヤ
８５  スライド板
８７  コネクター板
９３  ラック歯
９５  凹部
９７  連結ばね
１０１  突片
１０３，１０７  ガイド穴
１０５，１０９  突片
１１３，１１５  係止穴１１３が設けられている。
１１５ａ  スリット
１１５ｂ  ネジ穴
【図１】
0003128567.tif 000003
【図２】
0003128567.tif 000004
【図３】
0003128567.tif 000005
【図４】
0003128567.tif 000006
【図５】
0003128567.tif 000007
【図６】
0003128567.tif 000008
【図７】
0003128567.tif 000009
【図８】
0003128567.tif 000010
【図９】
0003128567.tif 000011
【図１０】
0003128567.tif 000012
【図１１】
0003128567.tif 000013
【図１２】
0003128567.tif 000014
【図１３】
0003128567.tif 000015
【図１４】
0003128567.tif 000016
【図１５】
0003128567.tif 000017
【図１６】
0003128567.tif 000018
【図１７】
0003128567.tif 000019
【手続補正書】
【提出日】平成18年11月6日(2006.11.6)
【手続補正１】
【補正対象書類名】実用新案登録請求の範囲
【補正対象項目名】請求項１
【補正方法】変更
【補正の内容】
【請求項１】
板キーが挿入可能な錠穴を有するシリンダが装着され、左右の両端側にシャッターカーテンのスラットへの取付穴が設けられた板状のカバーと、
前記シリンダを被覆してカバーの背面側に取り付くボックス状のケースと、
シャッターカーテンの幅方向外側に向かって進退可能にカバーとケースとの間に装着され、夫々の先端側に、ガイドレール側に設けた被係止部材に係脱する係止部材を連結する係止穴が設けられた左右一対のアーム部材と、
前記シリンダ内に組み込まれ、アーム部材に設けたラック歯に噛合するギヤとを備え、
前記錠穴に挿入した板キーの回転操作で、アーム部材がシャッターカーテンの幅方向外側に向かって進退するシャッター装置のシャッター錠に於て、
前記取付穴を、カバーの左右の両端側に夫々複数設けると共に、前記係止穴を、両アーム部材の長手方向に複数設けたことを特徴とするシャッター装置のシャッター錠。